(57)【要約】【課題】多段に積層された場合の荷崩れを防止する。【解決手段】容器1の容器本体2は、製品載置部20と、製品載置部20から垂下してその周囲を囲む本体側テーパー部21と、その周囲をつば状に囲んで上部に配設される蓋部材3を支持する本体側つば部22とを有する。蓋部材3は、製品載置部20を上方から覆うカバー部30と、その周囲を囲んで上段側に配設される他の容器本体2の本体側つば部22の内周縁部を支持する容器本体支持部32と、容器本体支持部32から外側に突出して設けられ、他の容器本体2の本体側つば部22を支持する容器本体支持補助部33と、容器本体支持部32及び容器本体支持補助部33の周囲から垂下して本体側テーパー部21を内側に挿通させて本体側テーパー部21と嵌合する蓋側テーパー部34と、その周囲をつば状に囲んで本体側つば部22に支持される蓋側つば部35とを有する。【選択図】図１
2008230623.tif 000002
【特許請求の範囲】
【請求項１】
容器本体及び蓋部材を備えるとともに、光学製品を収容して多段に積層可能な光学製品収容容器であって、
前記容器本体は、
光学製品の載置される製品載置部と、
この製品載置部から垂下して当該製品載置部の周囲を囲む本体側立ち下がり部と、
この本体側立ち下がり部の周囲をつば状に囲むとともに、上部に配設される前記蓋部材を支持する本体側つば部と、
を有し、
前記蓋部材は、
前記製品載置部を上方から覆うカバー部と、
このカバー部の周囲を囲むとともに、上段側に配設される他の前記容器本体における前記本体側つば部の下面の内周縁部を上面で支持する容器本体支持部と、
この容器本体支持部から外側に突出して設けられ、当該容器本体支持部の前記上面と同一の平面をなすとともに、前記他の容器本体における前記本体側つば部の下面を支持する容器本体支持補助部と、
前記容器本体支持部及び前記容器本体支持補助部のそれぞれから垂下して、これら容器本体支持部及び容器本体支持補助部の周囲を囲むとともに、下部に配設される前記本体側立ち下がり部を内側に挿通させて当該本体側立ち下がり部と嵌合する蓋側立ち下がり部と、
前記蓋側立ち下がり部の周囲をつば状に囲むとともに、下部に配設される前記本体側つば部に支持される蓋側つば部と、
を有することを特徴とする光学製品収容容器。
【請求項２】
請求項１記載の光学製品収容容器において、
前記容器本体支持補助部は、前記容器本体支持部の周方向に所定の間隔をあけて複数設けられていることを特徴とする光学製品収容容器。
【請求項３】
請求項１または２記載の光学製品収容容器において、
前記蓋部材は、
前記カバー部及び前記容器本体支持部の間から上方に突出して前記カバー部の周囲を囲むとともに、前記他の容器本体における前記本体側立ち下がり部に遊嵌される立ち上がり部を有し、
前記立ち上がり部は、下方に窪んだ凹部を上面に有し、
前記製品載置部は、下方に突出するとともに前記凹部と嵌合する凸部を外周部に有することを特徴とする光学製品収容容器。
【請求項４】
請求項１〜３の何れか一項に記載の光学製品収容容器において、
樹脂材料によって形成されていることを特徴とする光学製品収容容器。
【請求項５】
請求項１〜４の何れか一項に記載の光学製品収容容器において、
前記容器本体及び前記蓋部材は、
それぞれシート状の樹脂材料を真空成形加工して形成されていることを特徴とする光学製品収容容器。
【発明の詳細な説明】
【技術分野】
【０００１】
本発明は、光学製品を収容する光学製品収容容器に関する。
【背景技術】
【０００２】
従来、レンズなどの光学製品は、多段に積層可能な気密性の高い容器内に収容されて保管・搬送されている（例えば、特許文献１参照）。
【０００３】
例えば図２，図３に示すように、このような容器１００は、シート状の樹脂材料を真空成形加工して形成された可撓性の容器本体１０１及び蓋部材１０２を備えている。
【０００４】
このうち、容器本体１０１は、光学製品の載置される複数の凹部１１０ａが設けられた製品載置部１１０と、この製品載置部１１０の周囲からテーパー状に垂下する本体側テーパー部１１１と、この本体側テーパー部１１１の周囲をつば状に囲むとともに、上部に配設される蓋部材１０２を支持する本体側つば部１１２と、を有している。
【０００５】
一方、蓋部材１０２は、製品載置部１１０を上方から覆うカバー部１２０と、このカバー部１２０の周囲から立ち上がって設けられ、上段側に配設される他の容器本体１０１（以下、上段側の容器本体１０１とする）における本体側テーパー部１１１の内側に遊嵌される立ち上がり部１２１と、この立ち上がり部１２１よりも低く形成されて立ち上がり部１２１の周囲を囲むとともに、上段側の容器本体１０１における本体側つば部１１２の下面の内周縁部を上面で支持する容器本体支持部１２２と、容器本体支持部１２２の周囲からテーパー状に垂下し、下部に配設される容器本体１０１の本体側テーパー部１１１を内側に挿通させて当該本体側テーパー部１１１と嵌合する蓋側テーパー部１２３と、蓋側テーパー部１２３の周囲をつば状に囲むとともに、下部に配設される容器本体１０１の本体側つば部１１２に支持される蓋側つば部１２４と、を有している。
【特許文献１】特開２００４−２３８００１号公報
【発明の開示】
【発明が解決しようとする課題】
【０００６】
しかしながら、上記のような容器１００においては、上段側の容器１００は本体側つば部１１２の内周縁部と、下段側の容器１００における容器本体支持部１２２の上面との当接部分のみによって下方から支持されているため、容器本体１０１と蓋部材１０２とに設計上、或いは加工上の理由から出来上がりに多少のガタが生じている場合に、上段側の容器１００が例えば外圧による横滑り等によって当該ガタの分だけ側方に片寄せされると、図４に示すように、本体側つば部１１２の内周縁部が容器本体支持部１２２の上面から簡単に外れる結果、上段側の容器１００が荷崩れしてしまう。なお、図４では、図中の右側で本体側つば部１１２の内周縁部が容器本体支持部１２２の上面から外れた状態を図示している。
また、容器本体１０１及び蓋部材１０２はシート状樹脂材料により形成されて可撓性を有しているため、外圧により本体側テーパー部１１１や蓋側テーパー部１２３が外側に広がることによっても、本体側つば部１１２の内周縁部が容器本体支持部１２２の上面から外れる結果、上段側の容器１００が荷崩れしてしまう。この場合には、図４に示すように図中の右側だけでなく、左側や前側、後側についても同様に本体側つば部１１２の内周縁部が容器本体支持部１２２の上面から外れることがある。
そして、以上のような問題は、例えば図５（ａ）〜（ｃ）に示すように、容器本体１０１及び蓋部材１０２を形成するシート状の樹脂材料の厚みを変更しても、解決することはできない。
【０００７】
一方、荷崩れを防止するために容器本体支持部１２２を外側に広げて幅を広く形成すると、本体側テーパー部１１１と蓋側テーパー部１２３とを嵌合させて容器１００の内部の気密性を確保することができず、光学製品収容容器としての実用性がなくなってしまう。また、容器本体支持部１２２を内側に広げて幅を広く形成すると、立ち上がり部１２１の外周面と本体側テーパー部の内周面との間隔が広くなってしまい、上段側の容器本体１０１の位置決めが行えないため、容器本体１０１の横滑り量が大きくなり、荷崩れが防止されない。
【０００８】
本発明の課題は、多段に積層された場合の荷崩れを防止することができる光学製品収容容器を提供することである。
【課題を解決するための手段】
【０００９】
請求項１記載の発明は、容器本体及び蓋部材を備えるとともに、光学製品を収容して多段に積層可能な光学製品収容容器であって、
前記容器本体は、
光学製品の載置される製品載置部と、
この製品載置部から垂下して当該製品載置部の周囲を囲む本体側立ち下がり部と、
この本体側立ち下がり部の周囲をつば状に囲むとともに、上部に配設される前記蓋部材を支持する本体側つば部と、
を有し、
前記蓋部材は、
前記製品載置部を上方から覆うカバー部と、
このカバー部の周囲を囲むとともに、上段側に配設される他の前記容器本体における前記本体側つば部の下面の内周縁部を上面で支持する容器本体支持部と、
この容器本体支持部から外側に突出して設けられ、当該容器本体支持部の前記上面と同一の平面をなすとともに、前記他の容器本体における前記本体側つば部の下面を支持する容器本体支持補助部と、
前記容器本体支持部及び前記容器本体支持補助部のそれぞれから垂下して、これら容器本体支持部及び容器本体支持補助部の周囲を囲むとともに、下部に配設される前記本体側立ち下がり部を内側に挿通させて当該本体側立ち下がり部と嵌合する蓋側立ち下がり部と、
前記蓋側立ち下がり部の周囲をつば状に囲むとともに、下部に配設される前記本体側つば部に支持される蓋側つば部と、
を有することを特徴とする。
【００１０】
請求項２記載の発明は、請求項１記載の光学製品収容容器において、
前記容器本体支持補助部は、前記容器本体支持部の周方向に所定の間隔をあけて複数設けられていることを特徴とする。
【００１１】
請求項３記載の発明は、請求項１または２記載の光学製品収容容器において、
前記蓋部材は、
前記カバー部及び前記容器本体支持部の間から上方に突出して前記カバー部の周囲を囲むとともに、前記他の容器本体における前記本体側立ち下がり部に遊嵌される立ち上がり部を有し、
前記立ち上がり部は、下方に窪んだ凹部を上面に有し、
前記製品載置部は、下方に突出するとともに前記凹部と嵌合する凸部を外周部に有することを特徴とする。
【００１２】
請求項４記載の発明は、請求項１〜３の何れか一項に記載の光学製品収容容器において、
樹脂材料によって形成されていることを特徴とする。
【００１３】
請求項５記載の発明は、請求項１〜４の何れか一項に記載の光学製品収容容器において、
前記容器本体及び前記蓋部材は、
それぞれシート状の樹脂材料を真空成形加工して形成されていることを特徴とする。
【発明の効果】
【００１４】
請求項１記載の発明によれば、蓋部材には、上段側に配設される他の容器本体における本体側つば部の下面の内周縁部を上面で支持する容器本体支持部と、この容器本体支持部から外側に突出して設けられ、当該容器本体支持部の上面と同一の平面をなすとともに、他の容器本体における本体側つば部の下面を支持する容器本体支持補助部とが備えられるので、上段側の容器が外圧によって横滑りしたり、外側に広がったりして本体側つば部の内周縁部が容器本体支持部の上面から外れる場合であっても、容器本体支持補助部によって本体側つば部の下面を支持することができる。従って、多段に積層された場合の荷崩れを防止することができる。
【００１５】
請求項２記載の発明によれば、容器本体支持補助部が容器本体支持部の周方向に所定の間隔をあけて複数設けられているので、上段側の容器が外圧によって横滑りしたり、外側に広がったりして本体側つば部の内周縁部が容器本体支持部の上面から外れる場合であっても、各容器本体支持補助部によって本体側つば部の下面を確実に支持することができる。従って、多段に積層された場合の荷崩れを、確実に防止することができる。
【００１６】
請求項３記載の発明によれば、蓋部材には、他の容器本体における本体側テーパー部に遊嵌される立ち上がり部が備えられ、この立ち上がり部には、下方に窪んだ凹部が上面に備えられ、製品載置部には、下方に突出するとともに前記凹部と嵌合する凸部が外周部に備えられるので、他の容器本体を確実に横方向に位置決めし、上段側の容器の横滑りを防止することができる。従って、多段に積層された場合の荷崩れを、いっそう確実に防止することができる。
【００１７】
請求項４，５記載の発明によれば、請求項１〜３の何れか一項に記載の発明と同様の効果を得ることができる。
【発明を実施するための最良の形態】
【００１８】
以下、本発明の実施の形態について、図面を参照して説明する。
まず、本発明に係る光学製品収容容器（以下、容器とする）について説明する。
図１は、本発明に係る容器１の分解斜視図である。
【００１９】
この図に示すように、容器１は、光学製品（図示せず）を収容して多段に積層可能なものであり、平面視略矩形状の容器本体２及び蓋部材３を備えている。
【００２０】
これら容器本体２及び蓋部材３は、シート状の樹脂材料を真空成形加工して形成され、可撓性を有している。なお、本実施の形態におけるシート状樹脂材料の厚みは、０．３〜０．５ｍｍとなっている。
【００２１】
これら容器本体２及び蓋部材３のうち、容器本体２は、製品載置部２０を中央に有している。製品載置部２０は、光学製品の載置される凹部２０ａを複数有している。また、この製品載置部２０は、当該製品載置部２０からテーパー状に垂下する本体側テーパー部２１、つまり本発明における本体側立ち下がり部によって周囲を囲まれている。この本体側テーパー部２１は、本実施の形態においては、上下方向に対する角度が３〜５°となっている。
【００２２】
また、本体側テーパー部２１は、つば状の本体側つば部２２によって周囲を囲まれている。この本体側つば部２２は、上部に配設される蓋部材３を支持するようになっている。
【００２３】
一方、蓋部材３は、容器本体２の製品載置部２０を上方から覆うカバー部３０を中央に有している。カバー部３０は、上方に突出する立ち上がり部３１によって周囲を囲まれている。
【００２４】
この立ち上がり部３１は、上段側に配設される他の容器本体２（以下、上段側の容器本体２とする）における本体側テーパー部２１の内側に遊嵌されるようになっている。また、立ち上がり部３１は、当該立ち上がり部３１よりも低く形成された容器本体支持部３２によって周囲を囲まれている。
【００２５】
この容器本体支持部３２は、上段側の容器本体２における本体側つば部２２の下面の内周縁部を上面で支持するようになっている。また、容器本体支持部３２には、当該容器本体支持部３２から外側に突出した容器本体支持補助部３３が周方向に所定の間隔をあけて複数設けられている。
【００２６】
この容器本体支持補助部３３は、容器本体支持部３２の上面と同一の平面をなすとともに、上段側の容器本体２における本体側つば部２２の下面を支持するようになっている。
【００２７】
これら容器本体支持部３２及び容器本体支持補助部３３は、当該容器本体支持部３２及び容器本体支持補助部３３のそれぞれからテーパー状に垂下する蓋側テーパー部３４、つまり本発明における蓋側立ち下がり部によって周囲を囲まれている。
【００２８】
この蓋側テーパー部３４は、下部に配設される本体側テーパー部２１を内側に挿通させて当該本体側テーパー部２１と嵌合するようになっている。なお、本実施の形態における蓋側テーパー部３４は、本体側テーパー部２１と略平行になっている。
【００２９】
また、蓋側テーパー部３４は、つば状の蓋側つば部３５によって周囲を囲まれている。この蓋側つば部３５は、容器本体２の本体側つば部２２に支持されるようになっている。
【００３０】
以上の容器１によれば、蓋部材３には、上段側に配設される他の容器本体２における本体側つば部２２の下面の内周縁部を上面で支持する容器本体支持部３２と、この容器本体支持部３２から外側に突出して設けられ、当該容器本体支持部３２の上面と同一の平面をなすとともに、他の容器本体２における本体側つば部２２の下面を支持する容器本体支持補助部３３とが備えられるので、上段側の容器１が外圧によって横滑りしたり、外側に広がったりして本体側つば部２２の内周縁部が容器本体支持部３２の上面から外れる場合であっても、容器本体支持補助部３３によって本体側つば部２２の下面を支持することができる。従って、容器１が多段に積層された場合の荷崩れを防止することができる。
【００３１】
また、容器本体支持補助部３３が容器本体支持部３２の周方向に所定の間隔をあけて複数設けられているので、上段側の容器１が外圧によって横滑りしたり、外側に広がったりして本体側つば部２２の内周縁部が容器本体支持部３２の上面から外れる場合であっても、各容器本体支持補助部３３によって本体側つば部２２の下面を確実に支持することができる。従って、容器１が多段に積層された場合の荷崩れを、確実に防止することができる。
【００３２】
また、蓋部材３には、他の容器本体２における本体側テーパー部２１に遊嵌される立ち上がり部３１が備えられるので、この立ち上がり部３１によって当該他の容器本体２を横方向に位置決めし、上段側の容器１の横滑りを防止することができる。従って、容器１が多段に積層された場合の荷崩れを、確実に防止することができる。
【００３３】
なお、本発明を適用可能な実施形態は、上述した実施形態に限定されることなく、本発明の趣旨を逸脱しない範囲で適宜変更可能である。
【００３４】
例えば、上記実施の形態においては、蓋部材３における立ち上がり部３１が本体側テーパー部２１に遊嵌されて他の容器本体２の横方向への位置決めをすることとして説明したが、この立ち上がり部３１の上面に凹部を形成するとともに、製品載置部２０の外周部に下方へ突出する凸部を形成し、これら凹部及び凸部を嵌合させることによって他の容器本体２の横方向への位置決めをすることとしても良い。この場合には、より確実に荷崩れを防止することができる。また、これら凹部及び凸部は、容器１を積層したときに互いに嵌合できる限りにおいて、容器１の周方向に所定間隔をあけて複数設けられても良いし、周方向に環状に設けられても良い。
【図面の簡単な説明】
【００３５】
【図１】本発明に係る光学製品収容容器を示す分解斜視図である。
【図２】従来の光学製品収容容器を示す斜視図である。
【図３】従来の光学製品収容容器を示す分解斜視図である。
【図４】従来の光学製品収容容器が多段に積層されて荷崩れを生じた状態を示す断面図である。
【図５】シート状樹脂材料の厚みを変更して従来の光学製品収容容器を形成した状態を示す断面図である。
【符号の説明】
【００３６】
１  容器（光学製品収容容器）
２  容器本体
３  蓋部材
２０  製品載置部
２１  本体側テーパー部（本体側立ち下がり部）
２２  本体側つば部
３０  カバー部
３１  立ち上がり部
３２  容器本体支持部
３３  容器本体支持補助部
３４  蓋側テーパー部（蓋側立ち下がり部）
３５  蓋側つば部
【図１】
2008230623.tif 000003
【図２】
2008230623.tif 000004
【図３】
2008230623.tif 000005
【図４】
2008230623.tif 000006
【図５】
2008230623.tif 000007